(57)【要約】【課題】  本願では開口部の断熱性を確保するためにペアガラス等を用いるという、従来の固定観念を一旦捨象して、斬新な構成の建具を提供すること。【解決手段】  本願は、室外パネル１０と室内パネル１１間に連通された第１と第２の開口１２，１３と、前記室外パネル１０に取付けられる化粧パネル１４を備えた玄関ドア１であって、前記第１の開口１２の室外側を遮蔽する第１の室外遮蔽材２と、同開口１２の室内側を遮蔽する第１の室内遮蔽材３と、前記第１の室外遮蔽材２の背面側を支持すると共に、前記化粧パネル１４に対し前記第１の室外遮蔽材２を略フラット状に取付ける第１の室外側額縁４と、前記第１の室内遮蔽材３の背面側を支持すると共に、前記室内パネル１１に対し前記第１の室内遮蔽材３を略フラット状に取付ける第１の室内側額縁５を備えている。また前記第２の開口１３の構成も略同一に構成されている。【選択図】        図３
2006348532.tif 000002
【特許請求の範囲】
【請求項１】
室外面と室内面間に連通された開口と、
該開口の室外側を遮蔽する室外遮蔽材と、
前記開口の室内側を遮蔽する室内遮蔽材と、
前記室外遮蔽材の背面側を支持すると共に、前記室外面に対し前記室外遮蔽材を略フラット状に取付ける室外側額縁と、
前記室内遮蔽材の背面側を支持すると共に、前記室内面に対し前記室内遮蔽材を略フラット状に取付ける室内側額縁とを備えていることを特徴とする建具。
【請求項２】
前記室外面に取付けられる化粧パネルと、この化粧パネルに対し前記室外遮蔽材を略フラット状に取付ける室外側額縁を備えると共に、前記室内外遮蔽材をガラス板としたことを特徴とする請求項１に記載の建具。
【請求項３】
前記室内遮蔽材と前記室外遮蔽材間に断熱空間が形成されることを特徴とする請求項１又は２に記載の建具。
【請求項４】
前記室外遮蔽材は前記室外面の横幅と略同一の横幅を備えている共に、前記室内遮蔽材は、前記室内面に設けられた開口の横幅と略同一の横幅を備えていることを特徴とする請求項１乃至３の何れかに記載の建具。
【請求項５】
前記室外遮蔽材は前記室外面の縦幅と略同一の縦幅を備えている共に、前記室内遮蔽材は、前記室内面に設けられた開口の縦幅と略同一の縦幅を備えていることを特徴とする請求項１乃至３の何れかに記載の建具。
【請求項６】
前記室外側額縁は室外側から認識できる建具の芯材又は開口を隠す芯材外覆部と、建具の芯材又は開口の上下部を隠す上下外覆部を備え、且つ、前記室内側額縁は室内側から認識できる建具の芯材又は開口を隠す芯材内覆部と、建具の芯材又は開口の上下部を隠す上下内覆部を備えていると共に、前記室外側額縁と前記室内側額縁とは直接的に固定されることを特徴とする請求項１乃至５の何れかに記載の建具。
【請求項７】
室外面と室内面間に形成された開口に、室外側から室外側額縁を、一方室内側から室内側額縁を配置し、且つ、両者を直接固定し、
室外側額縁の上下に室外遮蔽材の背面側を支持させ、室外側遮蔽材の正面側にアタッチ材を圧着して室外面の化粧パネルに室外側遮蔽材を取付け、
室内遮蔽材の上下左右に固定ビードを取付けて、この固定ビードを室内側額縁に圧着することで、
前記化粧パネルに対し前記室外遮蔽材を略フラット状に取付ける共に、前記室内面に対し前記室内遮蔽材を略フラット状に取付けることを特徴とする建具の組立構造。
【発明の詳細な説明】
【技術分野】
【０００１】
本発明は、玄関ドア等の建物用ドア、引戸等の建具に関する。
【背景技術】
【０００２】
従来の玄関ドアとして、例えばフラッシュドアと称されるものの開口部は、室内外の鋼板等のパネルに開口を設けてこの開口にガラスを嵌込み、内外から四周に凹凸のある額縁で挟込んで構成されていた。
このようにドアについて外観の斬新性を発揮させるものとして、特許文献１に記載された断熱ドア、特許文献２に記載の玄関ドアがある。
【特許文献１】特開平７−１０２８５５
【特許文献２】実開平７−４７６２
【０００３】
特許文献１に記載された断熱ドアは、その一部に採光用の開口部が形成されたドア本体を基本にするフラッシュドアであり、一方の鋼板側の開口部の周囲に額縁が、他方の鋼板にその全面を覆う面積を持つ化粧材がそれぞれ取り付けられることにより室内側と室外側の立面が互いに異なる外観を持つものである。
【０００４】
特許文献２に記載の玄関ドアは、開口部を有するドア本体，外ガラス板，内ガラス板を備え、外ガラス板はドア本体に対して着脱可能な外ガラス板支持部材を介してドア本体に固定し、外ガラス板支持部材は側面固定部材にてドア本体に固定されたもので、外ガラス板がフラット状に取付けられていて、見栄えがよい構成となっている。
【０００５】
しかし、これらの特許文献１に記載された断熱ドア、特許文献２に記載の玄関ドアは共に開口部に断熱性能を備えたペアガラス等を用いており、その構造に由来する外観状の制約があった。
また特許文献２の玄関ドアにおいては、室内側の開口部の構造は、額縁に相当する内ガラス板支持部材によって内ガラス板の正面側を押える従来のままのもので、その斬新性には限界があった。
【発明の開示】
【発明が解決しようとする課題】
【０００６】
そこで、本願では開口部の断熱性を確保するためにペアガラス等を用いるという、従来の固定観念を一旦捨象して、斬新な構成の建具を提供することを目的とする。
【課題を解決するための手段】
【０００７】
上記課題を解決するため本発明に係る建具は、室外面と室内面間に連通された開口と、該開口の室外側を遮蔽する室外遮蔽材と、前記開口の室内側を遮蔽する室内遮蔽材と、前記室外遮蔽材の背面側を支持すると共に、前記室外面に対し前記室外遮蔽材を略フラット状に取付ける室外側額縁と、前記室内遮蔽材の背面側を支持すると共に、前記室内面に対し前記室内遮蔽材を略フラット状に取付ける室内側額縁とを備えている（請求項１に記載の発明）。
【０００８】
また、上記発明において、前記室外面に取付けられる化粧パネルと、この化粧パネルに対し前記室外遮蔽材を略フラット状に取付ける室外側額縁を備えると共に、前記室内外遮蔽材をガラス板としたことを特徴とする建具とした（請求項２に記載の発明）。
【０００９】
また、上記各発明において、前記室内遮蔽材と前記室外遮蔽材間に断熱空間が形成されることを特徴とする建具とした（請求項３に記載の発明）。
【００１０】
また、上記各発明において、前記室外遮蔽材は前記室外面の横幅と略同一の横幅を備えている共に、前記室内遮蔽材は、前記室内面に設けられた開口の横幅と略同一の横幅を備えていることを特徴とする建具とした（請求項４に記載の発明）。
【００１１】
また、上記各発明において、前記室外遮蔽材は前記室外面の縦幅と略同一の縦幅を備えている共に、前記室内遮蔽材は、前記室内面に設けられた開口の縦幅と略同一の縦幅を備えていることを特徴とする建具とした（請求項５に記載の発明）。
【００１２】
また、上記各発明において、前記室外側額縁は室外側から認識できる建具の芯材又は開口を隠す芯材外覆部と、建具の芯材又は開口の上下部を隠す上下外覆部を備え、且つ、前記室内側額縁は室内側から認識できる建具の芯材又は開口を隠す芯材内覆部と、建具の芯材又は開口の上下部を隠す上下内覆部を備えていると共に、前記室外側額縁と前記室内側額縁とは直接的に固定されることを特徴とする建具とした（請求項６に記載の発明）。
【００１３】
上記課題を解決するため、室外面と室内面間に形成された開口に、室外側から室外側額縁を、一方室内側から室内側額縁を配置し、且つ、両者を直接固定し、室外側額縁の上下に室外遮蔽材の背面側を支持させ、室外側遮蔽材の正面側にアタッチ材を圧着して室外面の化粧パネルに室外側遮蔽材を取付け、室内遮蔽材の上下左右に固定ビードを取付けて、この固定ビードを室内側額縁に圧着することで、前記化粧パネルに対し前記室外遮蔽材を略フラット状に取付ける共に、前記室内面に対し前記室内遮蔽材を略フラット状に取付けることを特徴とする建具の組立構造とした（請求項７に記載の発明）。
【発明の効果】
【００１４】
本発明によれば、室外遮蔽材及び室内遮蔽材は、室外側額縁及び室内側額縁によりそれぞれ独立して取付けられるため、前記室内外面の各面に対して室外遮蔽材及び室内遮蔽材を略フラット状に取付けることができ、斬新な構成の建具を提供することができる。
また、前記室外面に取付けられる化粧パネルと、この化粧パネルに対し前記室外遮蔽材を略フラット状に取付ける室外側額縁を備える場合にも、斬新な構成の建具を提供することができる。
また、室外遮蔽材及び室内遮蔽材としてガラス板を用いた場合に、各ガラス板間の空間により断熱性能を発揮させることができる。
【発明を実施するための最良の形態】
【００１５】
本発明に係る建具の実施形態を図面に基いて説明する。
図１は実施形態に係る建具としての玄関ドアの正面図、図２は同背面図、図３は同中央縦断面図、図４は同要部横断面図、図５は同要部分解斜視図である。
これらの各図及び後述の各図において、同一の構成は同一の符号を付して重複した説明を省略する。
【００１６】
実施形態に係る玄関ドア１は、その躯体構成はフラッシュドアと略同一であるが、次のような特徴を備えている。
即ち、図１〜図３に図示したように、室外面としての室外パネル１０と室内面としての室内パネル１１間に連通された第１と第２の開口１２，１３と、前記室外パネル１０に取付けられる化粧パネル１４を備えた玄関ドア１であって、前記第１の開口１２の室外側を遮蔽する第１の室外遮蔽材２と、同開口１２の室内側を遮蔽する第１の室内遮蔽材３と、前記第１の室外遮蔽材２の背面側を支持すると共に、前記化粧パネル１４に対し前記第１の室外遮蔽材２を略フラット状に取付ける第１の室外側額縁４と、前記第１の室内遮蔽材３の背面側を支持すると共に、前記室内パネル１１に対し前記第１の室内遮蔽材３を略フラット状に取付ける第１の室内側額縁５を備えている。
また前記第２の開口１３の室外側を遮蔽する第２の室外遮蔽材６と、同開口１３の室内側を遮蔽する第２の室内遮蔽材７と、前記第２の室外遮蔽材６の背面側を支持すると共に、前記化粧パネル１４に対し前記第２の室外遮蔽材６を略フラット状に取付ける第２の室外側額縁８と、前記第２の室内遮蔽材７の背面側を支持すると共に、前記室内パネル１１に対し前記第２の室内遮蔽材７を略フラット状に取付ける第２の室内側額縁９を備えている。
【００１７】
第１と第２の開口１２，１３のそれぞれの縦幅は、所定の幅に設定すればよく、前記ドア１では第１の開口１２は幅狭で、第２の開口１３は第１の開口１２に比して幅広となっている。
一方、第１と第２の開口１２，１３のそれぞれの横幅の最大幅は玄関ドア１（以下、単にドアともいう）の躯体を構成する芯材１５、１５（図４参照）により制約されるが、後述するように、各室外遮蔽材２、６は各開口１２，１３の面積よりも広く取付けられ、一方各室内遮蔽材３、７は、各開口１２，１３と略同一の面積に取付けられている。
また、前記ドア１での開口数は、２つであるがこの開口数に限定されるものではなく、また各開口の位置も任意であり、本実施形態に限定されるものではない。
【００１８】
前記化粧パネル１４は、図１に示したように５種類のパネル１４Ａ〜１４Ｅにより構成され、パネル１４Ａ〜１４Ｄが上下方向に各長手方向を隣接させつつ組合わされて構成されている。
前記各パネル１４Ａ〜１４Ｅの長手方向幅は、それぞれ前記室外パネル１０の横幅と略同一に形成され、また短手方向の両端部は後述するエッジ部１６に密着して当接されている。
【００１９】
図３に示したように、前記パネル１４Ａはその長手方向の両端端部にそれぞれ係合凹部１４０と係合凸部１４１が、前記パネル１４Ｂの長手方向の両端端部にはそれぞれ係合凹部１４２と係合凹溝１４３が、前記パネル１４Ｃの長手方向の両端端部にはそれぞれ係合凹溝１４４と係合突部１４５が形成されている。
前記パネル１４Ｄ（以下、アタッチ材１４Ｄともいう）の長手方向の一端部には、前記パネル１４Ｂの係合凹溝１４３に圧着され、挿入可能なフック部１４６が形成され、他端部には前記第１の室外遮蔽材２の正面を圧着して前記パネル１４Ｂに前記室外側遮蔽材２を取付ける取付部１４７が形成されている。
前記パネル１４Ｅは、前記パネル１４Ｃの係合凹溝１４４に嵌込むことができる縦幅に形成されている。
【００２０】
そして、図３の図示のように室外パネル１０の上部から第１の室外遮蔽材２間に、順次、パネル１４Ａの係合凸部１４１が前記パネル１４Ｂの係合凹部１４２に係合し、各パネル１４Ａと前記パネル１４Ｂの長手方向の端部が密着されて略フラット状に取付けられている。
前記パネル１４Ｂの係合凹溝１４３に前記アタッチ材１４Ｄのフック部１４６が嵌め込まれ、その取付片１４７により第１の室外遮蔽材２の正面の上端が支持され、第１の室外遮蔽材２の正面の下端は、前記アタッチ材１４Ｄの取付片１４７に支持され、そのフック部１４６が前記パネル１４Ｂの係合凹溝１４３に嵌込まれている。
そして前記パネル１４Ｂ、前記アタッチ材１４Ｄ、第１の室外遮蔽材２の正面及び前記アタッチ材１４Ｄが略フラット状に取付けられている。
【００２１】
前記パネル１４Ｂの係合凹部１４２は、前記パネル１４Ａの係合凸部１４１に係合し、各パネル１４Ｂと１４Ａの長手方向が密着されて略フラット状に取付けられている。
このパネル１４Ａの係合凹部１４０は、前記パネル１４Ｃの係合凹溝１４４と係合され、この係合凹溝１４４に前記パネル１４Ｅが嵌込まれている。
前記パネル１４Ｃの係合突部１４５は、パネル１４Ａの係合凸部１４１に係合し、以下、順次同様の係合状態で、前記パネル１４Ａ、パネル１４Ｃ、パネル１４Ａ、パネル１４Ｃがそれぞれ略フラット状に取付けられている。
【００２２】
前記パネル１４Ｃの係合突部１４５は、パネル１４Ｂの係合凹部１４２と当接され、各パネル間の端部が密着して略フラット状に取付けられている。
このパネル１４Ｂから最下段のパネル１４Ｂの組合わせは、上述のパネル１４Ｂと第１の室外遮蔽材２及び前記パネル１４Ｂの組み合わせと同様であり、パネル１４Ｂ、アタッチ材１４Ｄ、第２の室外遮蔽材６、アタッチ材１４Ｄ及びパネル１４Ｂが略フラット状に取付けられている。
【００２３】
これらのパネル１４Ａ〜１４Ｃは、それらの各係合部（係合凹部１４０、係合凸部１４１、係合凹部１４２、係合凹溝１４３、係合凹溝１４４、係合突部１４５）が前記室外パネル１０と接する部分で、例えば両面テープで固定されている。なお、固定方法は両面テープに限定されるものではなく、接着剤でもよいし、ネジ等の固定方法でもよい。
また前記パネル１４Ａ〜１４Ｅは、アルミ形材により成形されているが、アルミ形材に限定されることはなく、その他の金属でもよいし、合成樹脂、木製でもよい。
【００２４】
第１の室外遮蔽材２と、第２の室外遮蔽材６は略同一構成であるので、第２の室外遮蔽材６を第１の室外遮蔽材２に代表させて説明する。
第１の室外遮蔽材２にはガラス板が用いられている。このガラス板２は所謂ペアガラスを構成する室外側のガラス板ではなく、第１の室内遮蔽材３を構成するガラス板３とは独立しているガラス板単体である。
これらのガラス板２とガラス板３は気密状に取付けられており、各ガラス板２、３間の断熱空間の空気が断熱性能を発揮している。
【００２５】
前記ガラス板２の縦幅は、図３に示したように前記第１の開口１２の縦幅より縦長となっており、一方、前記ガラス板２の横幅は、図４に示したように前記室外パネル１０の横幅と略同一の横幅を備えている。
第１の室外遮蔽材２としては前記第１の開口１２に対し気密性を保持できる材質であればガラス板に限定されるものではなく、合成樹脂等でもよい。
また、前記ガラス板２に、カラーガラス板を用いて、ガラス裏の影を目立たなくしてもよいし、ドア全体のアクセントとしてもよい。
【００２６】
第１の室内遮蔽材３と、第２の室内遮蔽材７は略同一構成であるので、第２の室内遮蔽材７を第１の室内遮蔽材３に代表させて説明する。
第１の室内遮蔽材３は、前記第１の室外遮蔽材２と同様にガラス板３が用いられているが、ここでもガラス板３はペアガラスを構成する室外側ガラスではなく、前記ガラス板２とは独立している単体のガラス板である。
前記ガラス板３の縦幅は図３に示したように、前記第１の開口１２の縦幅と略同一に、またガラス板３の横幅は、図４に示したように、前記第１の開口１２の横幅と略同一となっている。
その他の構成は前記ガラス２と同様であり、同一の作用効果を奏するものである。
このように各ガラス板２、３は、ペアガラスを構成するものではなく、ペアガラスの封着材等の劣化を問題とすることなく、ガラス板を可能な限り広げることができる。
【００２７】
第１の室外側額縁４と第２の室外側額縁８は略同一構成であり、第１の室内側額縁５と第２の室内側額縁９は略同一構成であるので、それぞれ第１の室外側額縁４と第１の室内側額縁５に代表させて説明する。
図５に示したように、前記第１の室外側額縁４は、前記ガラス板２の上下端の背面２０側を支持する背面支持部４０、４０と、この背面支持部４０、４０に連設されて室外側から認識できる前記第１の開口１２の上下部を隠す上下外覆部４１、４１と、この上下外覆部４１、４１に連設されて室外側から認識できるドア１の芯材１５、１５（図４参照）を隠す芯材外覆部４２、４２と、前記上下外覆部４１、４１の外周に設けられた固定部４３を備えている。
【００２８】
前記背面支持部４０、４０は、それぞれＬ字状に、且つ、前記室外パネル１０と略同一の横幅に形成され、各両端が前記エッジ部１６に当接されるようになっている。
前記上下外覆部４１、４１は、前記Ｌ字の背面支持部４０、４０の端部から前記第１の開口１２に当接するように内側に延出され、前記固定部４３用のスペースを確保するために、段差状に形成されている。
前記芯材外覆部４２、４２は、前記芯材１５，１５を覆うように横方向からＬ字状に内側に延出され、前記上下外覆部４１、４１と共に、第１の開口１２の室外側内周を覆い、且つ、前記第１の室内側額縁５との連接口４４を形成している。
【００２９】
前記第１の室内側額縁５は、前記第１の開口１２の室内側縁部１２０（図３参照）に当接される当接部５０と、この当接部５０に連接されて室内側から認識できる第１の開口１２の上下部を隠す上下内覆部５１、５１と、この上下内覆部５１、５１に連接されて室内側から認識できる芯材１５、１５を隠す芯材内覆部５２、５２と、前記第１の室外側額縁４の連接口４４に連接される、略四角柱状の連接部５３と、この連接部５３と上下内覆部５１、５１及び芯材内覆部５２、５２間を連接する連接片５４とが形成されている。
【００３０】
前記上下内覆部５１、５１は、前記当接部５０の端部から前記第１の開口１２の内側に延出され、前記連接片５４に接続されている。
前記芯材内覆部５２、５２は、前記芯材１５、１５を覆うように前記当接部５０から芯材１５、１５に沿って内側に延出され、前記連接片５４に接続されている。
これら上下内覆部５１、５１、芯材内覆部５２、５２、連接片５４及び連接部５３により、第１の開口１２の室内側内周が覆われ、且つ、前記連接部５３が第１の室外側額縁４の連接口４の内周に沿って配置されるようになっている。
【００３１】
このように形成された前記第１の室外側額縁４と第１の室内側額縁５は、前記連接片５４と前記固定部４３がネジ等で直接に固着され、前記背面支持部４０、４０と前記当接部５０とで室内外パネル１０、１１の開口１２の周囲を圧着することで取付けられている。
【００３２】
また、前記上下内覆部５１、５１、前記芯材内覆部５２、５２、前記連接片５４及び前記連接部５３により形成される略四周の溝部により、固定ビート３０の圧着溝部５５（図４参照）が形成され、この固定ビード３０を介して前記ガラス３が、室内パネル１１に対して略フラット状に取付けられている。
なお、上述のように前記アタッチ材１４Ｄのフック部１４６がパネル１４Ｂに嵌め込まれ、取付片１４７によりビードが巻かれたガラス２の正面の下端が支持されるようになっている。また、ビードが巻かれたガラス板２の正面の左右端はエッジ部１６に支持されるようになっている。
【００３３】
上記構成の前記第１の室外側額縁４と第１の室内側額縁５により各ガラス２、３の背面を支持し、前記アタッチ材１４Ｄ、固定ビード３０で各ガラス２、３の正面を支持することで、ガラス板２を化粧パネル１４に対して略フラット状に取付けることができ、またガラス３を室内パネル１１に対して略フラット状に取付けることができる。
なお、図６に図示したように、ガラス板３の押え３１を前記室内側額縁５に固定してもよい。
また、前記第１の室内側額縁５に、ガラス板３の左右端又／及び上下端を支持する支持片を形成するようにしてもよい。
また化粧パネル１４を取付けない場合には、前記第１の室外側額縁４のガラス背面支持部４０、４０を室外パネル１０と略フラット状に位置させ、ガラス板２を室外パネル１０と略フラット状に取付けてもよい。
【００３４】
以上のように構成されるドア１においては、室外パネル１０と室内パネル１１間に形成された第１及び第２の開口１２、１３に、室外側から第１及び第２の室外側額縁４、８を、一方室内側から第１及び第２の室内側額縁５、９を配置し、且つ、それぞれ両者を直接固定し、第１及び第２の室外側額縁４、８に前記ガラス板２及びガラス板６の背面側を支持させ、これらのガラス板２、６の正面側にアタッチ材１４Ｄを圧着し、パネル１４Ｂを介してガラス板２、６を取付ける。そしてガラス板２、６の左右端のビード部分を左右のエッジ部１６に呑み込ませる。一方、ガラス板３、７の上下左右端に固定ビード３０を取付けて、この固定ビード３０を介して第１及び第２の室内側額縁５、９にガラス板２、６を圧着することで、前記化粧パネル１４に対し前記ガラス板２、６を略フラット状に取付ける共に、前記室内パネル１１に対し前記ガラス板３、７を略フラット状に取付けることを特徴とするドアの組立構造となっている。
【００３５】
上記構成のドア１は、図示しない取付枠にヒンジ等１７（図４参照）を介して回動自在に取付けられている。
【００３６】
以上のように構成されたドア１の作用効果は次の通りである。
ａ．室外パネル１０の全面に、アルミ形材のパネル１４Ａ〜１４Ｄ、ガラス板２及びガラス板６を載せると共にパネル１４Ａ〜１４Ｄ、ガラス板２及びガラス板６を略フラット状にすることで、アルミ形材とガラス板に一体感を持たせることができ、斬新なドア１となっている。
ｂ．各ガラス板２、３及び６、７は、ペアガラスを構成するものではないので、室外パネル１０側だけでなく、室内パネル１１側もそのパネル面とガラス板３及び７とをフラット状に形成することができる。
ｃ．また、ペアガラスの封着材等の劣化を問題とすることがないので、前記ガラス板２、６の横幅を前記室外パネル１０の横幅と略同一の幅まで広げることができる。また、ガラス板３、７の横幅は、前記第１の開口１２の横幅と略同一とすることができる。
ｄ．ペアガラスの場合、封着材等の劣化防止のため、ガラス両端のスペーサを隠す必要があり、必然的に開口が狭まるが、ペアガラスでなく単体ガラス板２、３及び６、７を用いるので開口の広く取ることが出来、断熱空間も広く取ることができる。
ｅ．また、空気層が広いペアガラスの場合、それに比例してドア自体の厚さも大きくなるという不都合があるが、本ドア１ではこのような不都合は生じない。
ｆ．室外パネル１０上にはパネル１４Ａ〜１４Ｅが上下方向に各長手方向を隣接させつつ組合わされて固定されているので、金属ドアのイメージを表現することができる。また居住者に安心感を与えることができ、一方、不審者に対して、威圧感を与えることもできる。
ｇ．パネル１４Ａ〜１４Ｃにより、横方向のラインが形成され、パネル１４Ｅにより形成される溝がアクセントとなる。また、パネル１４Ｅの色を、パネル１４Ａ〜１４Ｃと変えることによって、アクセントを付けることもできる。
ｈ．前記各ガラス板２、３は、前記室外パネル１０の横幅と略同一の横幅を備えているが、前記各ガラス板６、７は、前記室内パネル１１に設けられた開口１２、１３の横幅と略同一の横幅としたので、ドア１の開閉の際に前記エッジ部１６に取付けられた気密部と各ガラス板６、７との干渉を避けることができる。
ｉ．前記第１の室外側額縁４の背面支持部４０、４０でガラス板２の背面を支持しており、一方、前記第１の室内側額縁５に圧着溝部５５を構成したことによりガラス回りの額縁の存在を可能な限り無くしたため、パネル１０、１１の各面からの高さを押えてフラットに形成され、シンプルな構成となっている。
ｊ．前記第１及び第２の室外側額縁４、８と前記第１及び第２の室内側額縁５、９を前記断熱空間の外側で締結固定したので、締結部が隠れてガラス面が広くとれると共に、前記断熱空間をシンプルに構成することかできる。
【００３７】
実施形態に係る建具としての玄関ドア１は、所謂フラッシュドアであったが、本願発明はこれに限定されることなく、すべての躯体構成の玄関ドアに用いることができる。
また玄関ドアに限定されることなく、建物内のドアにも用いることができ、さらにドアに限定されることなく、引戸等の建具にも用いることができる。
また、実施形態の玄関ドア１は単体ドアであったが、図７に示したように親子ドア１Ｂの親ドアを前記玄関ドア１と同様に構成し、子ドアにも略同様な構成を用いてもよい。
また、図８に示したように両袖パネル付ドア１Ｃのドアを前記玄関ドア１と同様に構成してもよい。
さらに、図９に示したように両開きドア１Ｄの左右のドアを前記玄関ドア１と同様に構成してもよい。
これらの各ドアにおいても、実施形態の玄関ドア１と同様な作用効果を奏する。
【００３８】
次に、第２実施形態として、玄関ドアの開口を縦長に形成した玄関ドア１Ｅの構成例を図１０〜図１３に基づいて説明する。
玄関ドア１Ｅは、室外パネル１０と室内パネル１１間に連通された開口１２Ｅと、前記室外パネル１０に取付けられる化粧パネル１４Ｆ〜１４Ｉを備え、前記開口１２Ｅの室外側を遮蔽する室外遮蔽材２Ｅと、同開口１２Ｅの室内側を遮蔽する室内遮蔽材３Ｅと、前記室外遮蔽材２Ｅの背面側を支持すると共に、前記化粧パネル１４Ｆ〜１４Ｉに対し前記室外遮蔽材２Ｅを略フラット状に取付ける室外側額縁４Ｅと、前記室内遮蔽材３Ｅの背面側を支持すると共に、前記室内パネル１１に対し前記室内遮蔽材３Ｅを略フラット状に取付ける室内側額縁５Ｅを備えている。
【００３９】
この玄関ドア１Ｅは、前記開口１２Ｅを上下の芯材１５、１５間に形成し、この前記開口１２Ｅに対し、前記室外遮蔽材２Ｅとしてのガラス板２Ｅを前記室外パネル１０の縦幅と略同一の縦幅に構成する共に、前記室内遮蔽材３Ｅとしてのガラス板３Ｅを前記開口１２Ｅの縦幅と略同一の縦幅に構成している。
【００４０】
前記化粧パネル１４Ｆはドア１のパネル１４Ｃに、前記化粧パネル１４Ｇはドア１のパネル１４Ｂに、前記化粧パネル１４Ｈはドア１のパネル１４Ｄに、前記化粧パネル１４Ｉはドア１のパネル１４Ｅにそれぞれ対応している。
また、前記室外側額縁４Ｅはドア１の第１、第２の室外側額縁４、８に対応し、室内側額縁５Ｅはドア１の第１、第２の室内側額縁５、９にそれぞれ対応している。
よって、玄関ドア１Ｅは、前記玄関ドア１と略同一に構成されていると共に、略同一の作用効果を奏する。
【００４１】
この玄関ドア１においても、図１４〜図１６に示したように、親子ドア１Ｆの親ドアを前記玄関ドア１Ｅと同様に構成し、両袖パネル付ドア１Ｇのドアを前記玄関ドア１Ｅと同様に構成し、両開きドア１Ｆの左右のドアを前記玄関ドア１Ｅと同様に構成してもよい。
これらの各ドアにおいても、実施形態の玄関ドア１Ｅと同様な作用効果を奏する。
【図面の簡単な説明】
【００４２】
【図１】第１実施形態にかかる玄関ドアの正面図、
【図２】同背面図、
【図３】同中央縦断面図、
【図４】同要部横断面図、
【図５】同要部分解斜視図、
【図６】第１実施形態にかかる玄関ドアにガラス押えを取付けた場合の説明図、
【図７】同玄関ドアの親子ドア正面図、
【図８】同玄関ドアの両袖パネル付きドア正面図、
【図９】同玄関ドアの両開きドア正面図、
【図１０】第２実施形態にかかる玄関ドアの正面図、
【図１１】同背面図、
【図１２】同中央縦断面図、
【図１３】同要部横断面図、
【図１４】同玄関ドアの親子ドア正面図、
【図１５】同玄関ドアの両袖パネル付きドア正面図、
【図１６】同玄関ドアの両開きドア正面図。
【符号の説明】
【００４３】
１  １Ｅ  玄関ドア
１Ｂ１Ｆ  親子ドア
１Ｃ  １Ｇ  両袖パネル付ドア
１Ｄ  １Ｆ  両開きドア
１０  室外パネル                        １１  室内パネル
１２  第１の開口                        １３  第２の開口
１２Ｅ  開口
１４  化粧パネル
１４Ａ〜１４Ｅ  パネル                  １６  エッジ部
１４０  係合凹部                        １４１  係合凸部
１４２  係合凹部                        １４３  係合凹溝
１４４  係合凹溝                        １４５  係合突部
１４６  フック部                        １４７  取付部
１４Ｆ〜１４Ｉ  化粧パネル
１５  芯材
２  第１の室外遮蔽材
３  第１の室内遮蔽材                    ４  第１の室外側額縁
５  第１の室内側額縁                    ６  第２の室外遮蔽材
７  第２の室内遮蔽材                    ８  第２の室外側額縁
９  第２の室内側額縁
２Ｅ  室外遮蔽材                        ３Ｅ  室内遮蔽材
４Ｅ  室外側額縁                        ５Ｅ  室内側額縁
２０  ガラス板の上下端の背面
３０  固定ビート
４０  背面支持部
４１  上下外覆部                        ４２  芯材外覆部
４３  固定部                            ４４  連接口
５０  当接部                            ５１  上下内覆部
５２  芯材内覆部                        ５３  連接部
５４  連接片                            ５５  圧着溝部
【図１】
2006348532.tif 000003
【図２】
2006348532.tif 000004
【図３】
2006348532.tif 000005
【図４】
2006348532.tif 000006
【図５】
2006348532.tif 000007
【図６】
2006348532.tif 000008
【図７】
2006348532.tif 000009
【図８】
2006348532.tif 000010
【図９】
2006348532.tif 000011
【図１０】
2006348532.tif 000012
【図１１】
2006348532.tif 000013
【図１２】
2006348532.tif 000014
【図１３】
2006348532.tif 000015
【図１４】
2006348532.tif 000016
【図１５】
2006348532.tif 000017
【図１６】
2006348532.tif 000018